(57)【要約】【課題】部品の共通化を行うことで製造時のコストダウンを有効に行う。【解決手段】支持部材５０を、遊技盤の構成に関係なく共通に用いられる基部５１と、遊技盤の構成よって変更される交換部５２，５３とから構成する。支持部材５０の組み立て時には、遊技盤の盤面構成に合致する交換部５２，５３を基部５１に組み付けた後に、遊技盤に組み付ける。なお、支持部材５０を再利用する場合には、支持部材５０を基部５１と交換部５２とに分解し、基部５１が再利用できるものであれば、遊技盤の盤面構成に合わせた交換部を基部５１に組み付ける。【選択図】        図７
2005034232.tif 000002
【特許請求の範囲】
【請求項１】
遊技媒体を受け入れる開口を有する構造物を取り付ける貫通孔を有する遊技盤と、制御装置を実装する支持部材とを備え、
前記支持部材を、
前記制御装置を保持する基部と、
前記構造物、又は貫通孔の少なくともいずれかの位置に応じて設けられ、前記開口にて受け入れた遊技媒体を流動させる通路を有する部材と、照明装置とを備えた交換部と、
から構成したことを特徴とする弾球遊技機。
【請求項２】
前記通路を有する部材は、前記照明装置に基づく光を反射させる反射面を備えていることを特徴とする請求項１記載の弾球遊技機。
【請求項３】
前記構造物は、前記照明装置に基づく光を前記貫通孔を介して透光させる装飾部を備えていることを特徴とする請求項１又は２記載の弾球遊技機。
【請求項４】
前記遊技盤と、前記支持部材とは着脱自在であることを特徴とする請求項１〜３いずれか記載の弾球遊技機。
【請求項５】
前記遊技盤には、前記遊技盤面を遊技領域として区画する枠部と、遊技媒体を遊技領域へと案内する案内通路とが一体に設けられた遊技領域区画部材が着脱自在に組み付けられることを特徴とする請求項４記載の弾球遊技機。
【発明の詳細な説明】
【０００１】
【発明の属する技術分野】
本発明は、パチンコ店等の遊技場に設置して使用されるパチンコ機等の弾球遊技機に関するものである。
【０００２】
【従来の技術】
遊技場に設置される遊技機の一つとしてパチンコ機を含む弾球遊技機が挙げられる。このパチンコ機には遊技球等の遊技媒体が打ち出される遊技領域が設けられた遊技盤が本体基部に組み付けられ、その遊技盤の前面を窓部を有する開閉自在な前面扉により被覆される構成となっている。遊技盤面には、遊技領域を規定又は遊技球を誘導するためのレールが取り付けられるとともに、遊技領域内には障害釘や風車等の他に、電動チューリップや入賞チャッカ、アタッカ等の入賞装置が配設されている。
【０００３】
このような遊技領域に対して反対側となる遊技盤の後面には、入賞チャッカやアタッカ等の入賞口に入った遊技球を、所定の受け部へとガイドする誘導リブ等の誘導部材が設けられた支持部材が組み付けられる。なお、この支持部材には、パチンコ機を制御するための主制御回路基板（装置）、ランプ制御回路基板（装置）及び音声制御回路基板（装置）等の制御回路基板（制御装置）の他に、例えば図柄等の識別情報を変動表示させた後に停止表示するための図柄表示装置等が組み付けられる。これにより、遊技盤を取り外した場合には、上記支持部材を同時に本体基部から取り外すことができるので、組み付けの際の作業性を向上させることが可能となる。
【０００４】
【発明が解決しようとする課題】
しかしながら、上記遊技機は、機種毎に異なる遊技領域を構成する遊技盤又は多様な遊技制御等に応じた入賞装置が配設される構成となることから専用の支持部材を製造するようになっており、例えば前記誘導部材や制御回路基板等の配置が異なる場合には新しい機種に対応する形状となる支持部材を製造する必要がある。このため、遊技盤に組み付けられる支持部材の所定部分の形状変更に関係なく使用できる部分、所謂共通化できる部分をも含めて新しく製造するため、共通化を効率的に行うことができない無駄が生じるという他に、パチンコ機の製造時にかかる費用を効率的に抑制することができないという問題がある。また、遊技盤によっては遊技状態によって発光するＬＥＤ等の発光素子を備えた回路基板が組み付けられている場合が有り、組付け作業時の作業工程が多く複雑になるという問題もある。
【０００５】
本発明は、遊技盤の構成に依存しない共通部分と、遊技盤の構成に依存する部分とに分割するとともに、遊技盤の構成に依存する部分を一体化することで、製造時の作業を容易にすることができるようにした弾球遊技機を提供することを目的とする。
【０００６】
【課題を解決するための手段】
上記目的を達成するために、本発明の弾球遊技機は、遊技媒体を受け入れる開口を有する構造物を取り付ける貫通孔を有する遊技盤と、制御装置を実装する支持部材とを備え、前記支持部材を、前記制御装置を保持する基部と、前記構造物、又は貫通孔の少なくともいずれかの位置に応じて設けられ、前記開口にて受け入れた遊技媒体を流動させる通路を有する部材と、照明装置とを備えた交換部と、から構成したものである。なお、開口を有する構造物とは、発射装置にて打ち出された遊技媒体を受け入れる入賞口等が挙げられる。また、制御装置とは、遊技の際に作動する装置の作動制御を行うための主制御回路装置や、制御回路装置の処理に基づいて作動を行う識別情報の変動表示及び停止表示を行うための図柄表示装置、ランプ装置、音声装置等の副制御回路装置を含むものとする。また、遊技媒体を流動させる通路とは、入賞口にて受け入れた遊技媒体を所定の受け部へと誘導する球通路等が挙げられる。
【０００７】
また、前記通路を有する部材は、前記照明装置に基づく光を反射させる反射面を備えていることが好ましい。前記構造物は、前記照明装置に基づく光を前記貫通孔を介して透光させる装飾部を備えていることが好ましい。また、前記遊技盤と、前記支持部材とは着脱自在であることが好ましい。また、前記遊技盤には、前記遊技盤面を遊技領域として区画する枠部と、遊技媒体を遊技領域へと案内する案内通路とが一体に設けられた遊技領域区画部材が着脱自在に組み付けられることが好ましい。
【０００８】
【発明の実施の形態】
図１及び図２に示すように、パチンコ機２を構成する本体基部３には、前面扉４が側方に設けられたヒンジ部（図示せず）を介して開閉自在に設けられている。この前面扉４の中央には開口４ａが形成されており、この開口４ａは前面扉４の裏側に取り付けられるガラス板７等の透光性を有する部材により遮蔽されている。前面扉４の下方には、遊技球８３（図１０参照）を発射装置８へと供給する供給皿９及び遊技球８３を発射装置８にて打ち出させるとともに、その打ち出し強さを調節する操作ハンドル１０が設けられている。遊技者が供給皿９に遊技球８３を投入（貯留）すると、皿内部に設けられた通路により遊技球８３は発射装置８へと誘導される。そして、操作ハンドル１０を操作して遊技盤上に遊技球８３を打ち出す。なお、前面扉４が閉じている場合には、遊技者や遊技場の作業者等は、前面扉４の裏側に取り付けられたガラス板７を介して遊技盤１５の遊技領域１５ａ、及び遊技領域１５ａ上を流下していく遊技球８３を視認する。なお、遊技盤１５は、後述する支持部材５０と一体化される遊技盤ユニット２０を構成する部材であり、この遊技盤ユニット２０は、本体基部３の組付け空間部３ａに着脱自在に組み付けられる。
【０００９】
図３に示すように、遊技盤１５の盤面には、打ち出した遊技球８３を躍らせるステージを備えたセンター役物２５が配設される他に、始動入賞口２６、通常入賞口２７〜３０、アタッカ３１等の遊技球８３を受け入れて入賞状態とする入賞口が配設される。遊技盤１５の盤面には、この他に、障害釘や風車等が組み付けられる。なお、これら構造物は周知であるため、ここではその詳細を省略する。なお、これら構造物の外周には、打ち出された遊技球を案内する案内レール３２と、ガイドレール３３が配設され、案内レール３２とガイドレール３３によって区画された内側の領域が遊技領域１５ａとなる。なお、遊技の際には、遊技領域１５ａの上方から案内レール３２によって案内された遊技球８３が流下し、始動入賞口２６、通常入賞口２７〜３０或いはアタッカ３１に入賞するか、これらに入賞せずに流下してアウト口３４から回収される。
【００１０】
遊技盤１５の盤面には、２つの装飾部材（開口を有する構造物）３５，３６が、それぞれが左右対称となるように組み付けられる。なお、これら装飾部材３５，３６は、開口（貫通孔）１５ｂ，１５ｃを遮蔽するように組み付けられる。これら装飾部材３５，３６は、アクリル樹脂等から形成されている。装飾部材の構成は左右対称であるが、機能が同一であるため、装飾部材３５についてのみ説明する。図４及び図５に示すように、装飾部材３５は、２つの通常入賞口形成部４０，４１と、装飾部４２とから形成される。
【００１１】
通常入賞口形成部４０，４１は、着色が施されており、装飾部４２に対して突出するように設けられる。また、この通常入賞口形成部４０，４１の形状は、上部面側と後部面側とが開口した箱形状に形成されている。この装飾部材３５を遊技盤１５の開口１５ｂに組み付けると、通常入賞口形成部４０，４１の上部面と、遊技盤１５の盤面とで囲まれた領域が通常入賞口２７，２８となる。また、通常入賞口形成部４０，４１の後部面側の空間部が、通常入賞口２７，２８に受け入れられた遊技球８３の通路となる。この通常入賞口形成部４０，４１の後面には、略Ｕ字形状の受け部４３，４４が設けられている。この受け部４３，４４は、通常入賞口２７，２８へと入賞した遊技球８３を、後述する球通路７４，７５に向けて流動させるために設けられる。なお、通常入賞口２７，２８に連なって形成される通路は略Ｌ字状になる。なお、この受け部４３，４４の上方には例えば磁気センサ等の検出センサ４５，４６が取り付けられ、通常入賞口１６，１７に入賞した遊技球８３を検出する。
【００１２】
装飾部４２は、透光性を有する着色、又は無色から形成される。この装飾部４２の後面（開口１５ｂ側の面）は、詳細は図示しないが、断面が鋸歯状に形成された拡散面４７（図５中ハッチングで示す領域）が設けられる。この拡散面４７は、後述するＬＥＤ６５からの照射光を拡散することで、装飾部４２を明るく発光させる。
【００１３】
図６に示すように、遊技盤１５の盤面とは反対側の面には、支持部材５０が該面に対し着脱自在に組み付けられる。この支持部材５０は、複数の部材から構成される。この支持部材５０は、遊技盤１５の構成に関与しない所謂共通に使用される基部５１と、遊技盤１５の構成によって変更される交換部５２，５３とから構成される。
【００１４】
図７に示すように、基部５１は、そのほぼ中央に開口５４を備えた形状を有している。この基部５１の後面には、主制御回路基板（装置）６０、音声制御回路基板（装置）６１、ランプ制御回路基板（装置）６２等の制御装置の他に、図柄表示装置６３が着脱自在に組み付けられる。なお、これら基板や装置は、収納ケースに収納された状態で、基部５１に組み付けられる。この基部５１に設けられる開口５４の下部には、複数のリブ５５〜５７が設けられている。なお、リブ５５とリブ５７との間に形成される隙間、リブ５６とリブ５７との間に形成される隙間５８が、始動入賞口２６に入賞した遊技球８３をパチンコ機２の内部へと回収するために導く誘導通路となる。
【００１５】
交換部５２，５３は、上述したように、遊技盤１５の構成によって変更される部材であり、基部５１の前面にビス６４等により組み付けられる。この交換部５２は、ブラケット６５と、ＬＥＤ（Ｌｉｇｈｔ  ｅｍｉｔｔｉｎｇ  ｄｉｏｄｅ）回路装置（照明装置）６６から構成される。なお、ＬＥＤ回路装置６６は、ＬＥＤ６７と、回路基板６８とから構成され、ランプ制御回路基板６２によって、ＬＥＤ６７の発光制御が行われる。同様に、交換部５３は、ブラケット６９とＬＥＤ回路装置７０から構成される。なお、ＬＥＤ回路装置７０は、ＬＥＤ７１と、回路基板７２とから構成され、ランプ制御回路基板６２によって、ＬＥＤ７１の発光制御が行われる。これらＬＥＤ６７，７１は、入賞口に入賞したとき、大当たり状態となるとき、又はリーチ状態となる場合等所定入賞条件達成等の遊技状態に応じて発光されるものとする。なお、これら回路基板６８，７２の表面は、例えばレジスト膜等のメッキ加工が施されており、ＬＥＤ６７，７１からの光を反射させやすくなっている。
【００１６】
ブラケット６５及びブラケット６９は、左右対称に形成されており、機能が同一であることから、以下では、ブラケット６５についてのみ説明する。図８及び図９に示すように、ブラケット６５の前面には、ＬＥＤ回路装置６６を組み付ける組付け部６５ａが設けられている。この組付け部６５ａの外周縁を囲むようにリブ６５ｂ〜６５ｄが設けられる。なお、これらリブ６５ｂ〜６５ｄは、支持部材５０の遊技盤１５への組付け時において、遊技盤１５に設けられた開口１５ｂに挿入される。なお、これらリブの６５ｂ〜６５ｄの内壁面Ａ〜Ｃは、例えばレジスト膜等のメッキ加工が施され、ＬＥＤ６７の発光時には、ＬＥＤ６７から照射された光を前方に向けて反射させる反射面としての機能を有している。
【００１７】
この組付け部６５ａと反対側となる面には、複数のリブ７５〜７８が設けられている。これらリブのうち、リブ７５とリブ７６との隙間Ｄ１、及びリブ７７とリブ７８との隙間Ｄ２は、遊技球８３の直径Ｒよりも広い幅を有している。なお、交換部５２を基部５１に組み付けると、これらリブ７５〜７８が基部５１の前面５１ａと当接し、球通路７９，８０が形成される。なお、ブラケットの形状は、遊技性やデザインに合わせて変更される装飾部材や、開口の形状に応じて変更されるものである。
【００１８】
次に、本実施形態の作用について説明する。遊技盤１５に、センター役物２５、始動入賞口２６、アタッカ３１等の他に、装飾部材３５，３６を組み付ける。また、支持部材５０の基部５１となる部分に、複数ある交換部のうち、遊技盤１５の開口１５ｂ，１５ｃに合致する交換部５２，５３を組み付ける。交換部５２，５３の後面側に設けられたリブ７５〜７８（図１０中はリブ７６を示す）が基部５１の前面５１ａと当接し、リブ７５とリブ７６と間の隙間、及びリブ７７とリブ７８と間の隙間がそれぞれ球通路７９，８０となる。
【００１９】
このようにして組み付けられた支持部材５０を遊技盤１５に着脱自在に組み付ける。この際、ブラケット６５，６９は、遊技盤１５の開口１５ｂ，１５ｃに挿入された後に、装飾部材３５，３６の拡散面４７の外周を囲うリブ４８と当接する。その後、支持部材５０に、主制御回路基板（装置）６０、音声制御回路基板（装置）６１、ランプ制御回路基板（装置）６２及び図柄表示装置６３を着脱自在に組み付ける。これにより、遊技盤ユニット２０が完成する。このように、支持部材５０を機種によって異なる遊技盤１５の構成に関係ない基部５１と、機種によって異なる遊技盤１５の構成によって変更される交換部５２，５３とから構成し組合せ自在とすることで、共通部品の点数を増やすことが可能となる。また、ＬＥＤ回路装置６６，７０を、ブラケット６５，６９とともに基部５１に電気的接続可能に組み付けた後に遊技盤１５に組み付けるため、製造時の作業工数を削減でき、作業性を向上させることができる。
【００２０】
このような遊技盤ユニット２０が組み付けられたパチンコ機２で遊技を行う場合には、操作ハンドル１０を操作して遊技球８３の打ち出しを行う。打ち出された遊技球８３は、案内レール３２に案内されて遊技領域１５ａの上方から流下し、始動入賞口２６、通常入賞口２７〜３０、若しくはアタッカ３１に入賞するか、アウト口３３にて回収される。そして、始動入賞口２６、通常入賞口２７〜３０、若しくはアタッカ３１に入賞した場合には、賞球となる遊技球８３が供給皿９に払い出される。なお、図１０に示すように、例えば通常入賞口２７に入賞した遊技球８３は、受け部４３によって球通路７９に向けて流動し、球通路７９内を流下する。これにより、遊技球８３がパチンコ機２の内部にある所定の受け部へと回収されるべく誘導される。
【００２１】
遊技を行っている際に、例えば始動入賞口へ入賞した場合に主制御回路装置６０にて処理される、遊技者にとって有利な「大当たり」状態への移行抽選で当選し、図柄表示装置６３よる図柄停止態様によって、その当選が報知される。この時、演出効果を高めるべくランプ制御回路基板６２が作動し、ＬＥＤ回路装置６６のＬＥＤ６７がそれぞれ発光する。ＬＥＤ６７からの照射光は、装飾部材３５の装飾部４２の後面に設けられた拡散面４７で拡散されながら前面へと透光される。また、ブラケット６５のリブ６５ｃ、又は回路基板６８の表面に向けて照射された光は、リブ６５ｃの側壁に設けられた反射面、又は回路基板６８の表面に設けられた反射面で反射し、拡散面４７に向けて照射される。このように、ＬＥＤ６７からの照射光が直接、又は側壁面Ａ〜Ｃで反射された後に照射されることにより、装飾部４２が光るため、ＬＥＤ６７の光を効率よく使用することが可能となる。また、装飾部４２の後面は拡散面となっていることから、装飾部材３５の輝度を高めることができる。なお、装飾部材３６についても同様である。
【００２２】
なお、遊技盤ユニットを新しい機種の遊技盤ユニットに切り替えた場合には、主制御回路基板６０等の制御装置を支持部材５０から取り外した後に、支持部材５０を遊技盤１５から取り外す。そして、支持部材５０を基部５１と交換部５２，５３とに分解し、基部５１が再利用できるものであれば、遊技性又はデザインによって貫通孔や構造物等の形状変更が行われる遊技盤の構成に合致した新たな交換部を組み付け、支持部材を完成させる。そして、機種によって異なる盤面構成を有する遊技盤に、支持部材を組み付ける。これにより、共通化できる部分となる基部５１を再利用することができ、新しい機種の遊技盤ユニットを製造する時の費用を削減することが可能となる。
【００２３】
本実施形態では、装飾部材に通常入賞口形成部を一体に設けたが、通常入賞口形成部を一体に設けなくてもよい。また、装飾部材の形状、通常入賞口形成部の形状や、配置箇所は機種によって異なる盤面構成に応じて適宜に設定可能である。
【００２４】
本実施形態では、遊技盤ユニットを、遊技盤と、この遊技盤に固定され、主制御回路基板等の制御装置が組み付けられた複数の部材からなる支持部材から構成したが、図１１に示すように、遊技領域を区画する枠部と、遊技媒体を遊技領域へと案内する案内通路が一体に設けられた遊技領域区画枠（部材）８５と、遊技盤８６と、各制御装置が組み付けられた支持部材８７とを着脱自在に一体化した遊技盤ユニットの場合にも、基部と交換部とからなる支持部材を用いることも可能である。
【００２５】
また、この他に、遊技盤と支持部材とをそれぞれ個別に、本体基部に組み付ける、又は保持し得るようにしてもよい。このようにすることで、支持部材の交換部に破損等があった場合には、遊技盤のみを取り外して作業を行うことができるため、メンテナンスがしやすくなる。
【００２６】
本実施形態では、遊技盤ユニットを直接、本体基部に組み付けるようにしたが、これに限定する必要はなく、図１２に示すように、パチンコ機を、例えば、前面扉９０と、遊技盤ユニット９１と、これらが着脱自在に組み付けられる保持枠９２とからなる交換ユニット９３と、遊技場に据え置かれる据え置きユニット９４とから構成し、遊技盤ユニット９１を保持枠９２を介して据え置きユニット９４を構成する本体基部９５に組み付けるようにしてもよい。
【００２７】
【発明の効果】
以上のように、本発明の弾球遊技機によれば、遊技媒体を受け入れる開口を有する構造物を取り付ける貫通孔を有する遊技盤と、制御装置を実装する支持部材とを備え、前記支持部材を、前記制御装置を保持する基部と、前記構造物、又は貫通孔の少なくともいずれかの位置に応じて設けられ、前記開口にて受け入れた遊技媒体を流動させる通路を有する部材と、照明装置とを備えた交換部と、から構成したから、遊技盤に設けられた構造物又は貫通孔の配置構成が変わっても、支持部材を構成する部材の一部を変えるのみで対応できるので、製造時にかかる費用を抑制することができるとともに、支持部材を構成する部材を必要に応じて共通化及びリサイクルを図ることができる。
【００２８】
また、前記通路を有する部材は、前記照明装置に基づく光を反射させる反射面を備えているから、上記光を効率よく使用することが可能となる。また、前記構造物は、前記照明装置に基づく光を前記貫通孔を介して透光させる装飾部を備えているから、照明装置からの光を、構造物に設けた装飾部から効率よく投光できる。
【図面の簡単な説明】
【図１】本発明を実施したパチンコ機の外観を示す斜視図である。
【図２】本体基部と遊技盤ユニットとを分解して示す斜視図である。
【図３】遊技盤と装飾部材との構成を分解して示す斜視図である。
【図４】装飾部材の前面を示す斜視図である。
【図５】装飾部材の後面を示す斜視図である。
【図６】遊技盤と、支持部材とを分解して示す斜視図である。
【図７】支持部材を分解して示す斜視図である。
【図８】ブラケットの前面を示す斜視図である。
【図９】ブラケットの背面を示す斜視図である。
【図１０】通常入賞口近傍を示す断面図である。
【図１１】遊技盤ユニットの構成の一例を分解して示す斜視図である。
【図１２】パチンコ機の構成の一例を分解して示す斜視図である。
【符号の説明】
２  パチンコ機
３  本体基部
１５  遊技盤
２０  遊技盤ユニット
２７〜３０  通常入賞口
３５，３６  装飾部材
４２  装飾部
４７  拡散面
５０  支持部材
５１  基部
５２，５３  交換部
６５，６９  ブラケット
６６，７０  ＬＥＤ回路装置
６７，７１  ＬＥＤ
７５〜７８  リブ
７９，８０  球通路
８３  遊技球
【図１】
2005034232.tif 000003
【図２】
2005034232.tif 000004
【図３】
2005034232.tif 000005
【図４】
2005034232.tif 000006
【図５】
2005034232.tif 000007
【図６】
2005034232.tif 000008
【図７】
2005034232.tif 000009
【図８】
2005034232.tif 000010
【図９】
2005034232.tif 000011
【図１０】
2005034232.tif 000012
【図１１】
2005034232.tif 000013
【図１２】
2005034232.tif 000014